(57)【特許請求の範囲】
【請求項１】
頭部と、この頭部に連接され、先端に向ってする尖鋭に形成された脚部を有する金属性の固定具において、前記脚部の周囲先端に向って、糸をテーパー状に巻回すると共に前記糸を、テーパー状に巻回した周囲全体に弾性を有する合成系接着剤を塗着してテーパー状に成形し、乾燥後に用いることを特徴とする固定具。
【発明の詳細な説明】
【技術分野】
【０００１】
本発明は、たとえば電気配線において電線の止着に用いたりする、コの字状のステープル、またはＡＬＣ面にサドルや電力量計ボックス等の取付体を止める釘、さらにカレンダーや掲示板などを吊下げ機能を有する吊下げ具などの固定具に関するものである。
【背景技術】
【０００２】
従来、ＡＬＣ、又は石膏ボード面に塩ビ管、エアコン等の配管工事において、通常の釘を用いればＡＬＣ、又は石膏ボード面に打ち込んでＶＶＦケーブルなどの電線を固定するとき、釘の頭部を金槌等で打ち込むと、釘の胴部の金属がＡＬＣ、又は石膏ボード内の素材を崩しながら打ち込まれることで、ＡＬＣ、又は石膏ボード内の素材と密着せず、引き抜き強度が弱いことから、耐久性に劣るものである。
そこで、補助材を使って、ネジ止めをするものであったが、これらの作業は時間を要することで効率が悪いものである。
【０００３】
また、電気配線に用いるＶＶＦケーブルなどの電線を壁面などの配線作業に利用する金属線をコの字状に形成されたステープルにおいて、ＡＬＣ（軽量気泡コンクリート）、及び石膏ボードによる壁面、天井などの面にステープルを打ち込んでＶＶＦケーブル（ビニル絶縁ビニルシースケーブル平形）などの電線を固定するとき、ステープルの頭部を金槌等で打ち込むと、ステープルの両脚である金属がＡＬＣ、及び石膏ボード内の素材を崩し、打ち込まれることで、両脚部は石膏ボード内の素材と密着せず、止着力が弱く、耐久性にＶＶＦケーブルの重さで抜け落ちてしまうことが多いことから耐久性に問題がある。
また、天井面での配線作業においては止着作業中でもステープルがしばしば抜けることから不向きであった。
さらに、配線の止着に利用するサドル等をネジ止め作業は効率が悪く手間がかかるものである。
【０００４】
また、ＡＬＣ、及び石膏ボード面に掲示板、ハンガー、額縁などを吊下げる吊下げ具において、吊下げ具の止め部が針状、あるいはネジ状で止着するが止着が弱く次第に抜けてしまい物である。
【０００５】
そこで、頭部内側及び胴部に、接着剤を封入した着色ミニカプセルを均一に塗装してなる接着剤層付釘がある、接着剤層付釘を用いて部材に打ち込むと、内部でミニカプセルが破れて接着剤が流出し、潤滑効果を上げながら進入して後に硬化接着して、引き抜き抵抗が大きくなる釘がある（例えば特許文献１参照）。
【０００６】
また、石膏ボードの配線工事のステープルの改善策として、ステープルの針状部に複数のかえし部が設けられているものがある（例えば特許文献２参照）。    
【０００７】
また、石膏ボード面に固定しょうとする吊下げ部と円形状のベースに三本のピンを夫々斜め方向に挿入して石膏ボード内で交差して抜けないように強度を高めた石膏ボード用物品固定具の取付ベースがある（例えば特許文献３参照）。
【０００８】
また、ボルト頭を有する釘の軸４に小径の段付部を設け、段付部にスリーブを被装して圧着し、ＡＬＣ用釘を形成する。釘の段付部には軸方向のリブを設け、スリーブには周方向のリブを設けてあり、圧着されたスリーブの外周面には縦横にリブが隆起している。ＡＬＣ用釘をＡＬＣに打込み、ドライバによって回転させると、釘の軸方向のリブによってスリーブ３が拡径されてＡＬＣに圧接し、ＡＬＣ用釘が固定されるものがある（例えば特許文献４参照）。
【０００９】
また、塗料と密着性の良い硬質粒子を混合した塗料にて釘表面に塗装し、釘胴部表面に硬質粒子によって不連続に突起物を形成した釘で、木材等に打込むと引抜き強度が向上する釘がある（例えば特許文献５参照）。
【先行技術文献】
【特許文献】
【００１０】
【特許文献１】実開昭５７−１７９６１２号広報
【特許文献２】実開昭５２−１０４５２０号広報
【特許文献３】特開２０１０−３１９７１号広報
【特許文献４】特開平０７−２５９８１９号広報
【特許文献５】特開平１０−３１８２２６号広報
【発明の概要】
【発明が解決しようとする課題】
【００１１】
しかしながら、特許文献１の考案ではＡＬＣ、又は石膏ボードに打ち込むと、潤滑効果を有しながら打ち込まれて、硬化接着効果が発生するまで多少の時間を要することから、初期的には止着力が弱いことから天井面での取付作業、壁面での取付作業のおいては重さにより抜け落ちることがあることで不向きである、またＡＬＣ，又は石膏ボード内の素材と接して硬化すると、夫々の素材と固まることでＡＬＣ、又は石膏ボードと釘の胴部と接着力が弱いことでＡＬＣ、又は石膏ボードには不向きである。
【００１２】
また、特許文献２の考案では電線を保持するが打ち付ける時に電線を傷つきやすい、さらに構造上から複雑であることで製品単価が高価になる。
【００１３】
また、特許文献３の発明では石膏ボードのみに利用が可能であるが、ＡＬＣ、又は軽量ブロックには利用が不可能である。
【００１４】
また、特許文献４の発明ではＡＬＣ用としては利用が可能であるが、石膏ボードの利用には適さないものである。
【００１５】
また、特許文献５の発明では木材等においては有効であるが、釘胴部の表面に複数の硬質粒子の突起物によってＡＬＣ、または石膏ボードに打込むと、内部の素材を崩すことで、釘胴部と密接することができず、さらに釘胴部において弾性を有していないことから抜けやすくなる。よってＡＬＣ、または石膏ボード材には不向きである。
【課題を解決するための手段】
【００１６】
そこで本発明は、上記の課題になされたもので、鑑み頭部を有する金属製の胴部と先端に向って尖鋭に形成した胴部に弾性を有する合成樹脂系接着剤と金属粉とを混合した固定部材を塗着して釘とした固定具である。
または、頭部を有する金属製の脚部と先端に向って尖鋭に形成し胴部に糸を巻回して、巻回した糸に沿って弾性を有する合成系接着剤を塗着してテーパー状に成形して釘とした固定具である。
よって、ＡＬＣ、又は石膏ボード面に釘を用いれば様々な取付体を止着することが容易である、さらに止着力を高めて、保つことができる釘を提供するものである。
【００１７】
また配線用ステープルの両方の脚部の金属線部に合成樹脂系接着剤と金属粉とを混合した固定部材を塗着した止着の抵抗性を増した固定具である。
または、ステープルの両方の脚部の金属線部に合成樹脂系接着剤と糸を巻回して、塗着してステープルとした固定具である。
よって、電気配線工事においてステープルを用いればＶＶＦなどの電線をＡＬＣ面、及び石膏ボード面にＶＶＦなどの電線を止着することが容易的、且つ止着度を高めた状態を保つことが出来る固定具を提供するものである。
【００１８】
また、ステープルの平坦な頭部の少なくとも一方の端部に吊下げ部を設けて、ステープルの両方の脚部に合成樹脂系接着剤と金属粉を混合した固定部材を塗着する、又は合成樹脂系接着剤と糸を巻回して塗着した吊下げ具とした固定具である。
よって、吊下げ具をＡＬＣ、又は石膏ボードに打ち込んで、吊下げ具を取り付けることでＡＬＣ面、又は石膏ボード面に強い止着力を得ることから様々な物を吊下げることができる固定具を提供するものである。
【００１９】
以上の如く作業効率を高め、単価の安い製品の提供を目的とするものである。
【００２０】
上述した課題を解決するために、本発明は頭部と、この頭部に連接され、先端に向ってする尖鋭に形成された脚部を有する金属性の固定具において、前記脚部の周囲先端に向って、糸をテーパー状に巻回すると共に前記糸を、テーパー状に巻回した周囲全体に弾性を有する合成系接着剤を塗着してテーパー状に成形し、乾燥後に用いることを特徴とする。
【００２１】
また、固定具との比較例１として、頭部と、この頭部に連接され、先端に向って尖鋭に形成された脚部を有する金属製の固定具において、脚部の少なくとも一部に弾性を有する合成樹脂系接着剤と金属粉とを混合した固定部材を塗着したことを特徴とする。
【００２２】
また、固定具との比較例２として、前記脚部は金属線をほぼコの字状に形成して、設けられている両方の脚部の周面に沿って前記固定部材が塗着されていることを特徴とする。
【００２３】
また、固定具との比較例３の固定具として、前記脚部の上方部は弾性を有する合成樹脂系接着剤のみが塗着され、脚部の下方部には前記固定部材を塗着したことを特徴とする。
【００２４】
また、固定具との比較例４として、前記両方の脚部を連結する前記頭部の少なくとも一方の端部に延設された吊下げ部を有する。
【発明の効果】
【００２５】
本発明は、以上説明したように構成されているので、以下に記載されているような効果を奏する。
【００２６】
請求項１に係る発明による固定具を釘、及びステープルに応用することで、釘、及びステープルの先端よりＡＬＣ、及び石膏ボード面に打ち込むとＡＬＣ内、及び石膏ボード内で固定具の脚部をテーパー状に塗着した合成系接着剤とテーパー状に巻回した糸の凸凹によって、ＡＬＣ、及び石膏ボード内の素材と密接して、滑り止めとなり、摩擦力を増すことで、強度の止着力ができることから取付板、サドル、及びケーブルなどを容易に止着できる。      
さらに、再度の利用が約９０％可能であることで経済的である。
【００２７】
固定具との比較例１による固定具を釘に応用することで、釘を用いて多種の取付板やサドルなどをＡＬＣ、及び石膏ボード止着するとき、ＡＬＣ、及び石膏ボードに釘胴部を打込むとＡＬＣ、及び石膏ボード内の素材と釘胴部に塗着した固定部材は粗雑面で弾性を有することから密接して抜け止となる。
よって、打込むだけで取付板、サドルなどを容易に取付工事ができ、効率な作業ができるものである。
【００２８】
固定具との比較例２による固定具をステープルに応用することで、ステープルを用いてＶＶＦケーブルなどの電線をＡＬＣ面、及び石膏ボード面に止着するとき、ＡＬＣ、及び石膏ボードにステープルを打込むとＡＬＣ、及び石膏ボード内の素材とステープルに塗着した固定部材は粗雑面で弾性を有することから密接して抜け止となる。
よって、本案のステープルのみでＡＬＣ、石膏ボード、さらに木材など多用に利用できることで、配線工事の作業を効率よく、経済性にも優れているものである。
【００２９】
固定具との比較例３による固定具を釘、及びステープルに応用することで、釘、及びステープルをＡＬＣ面、及び石膏ボード面に打ち込むと、ＡＬＣ、及び石膏ボード内の素材と釘胴部、及びステープル脚部に塗着した上方部の合成樹脂系接着剤と下方部に塗着した固定部材の一部分が剥がれて混在した粗雑面に接することで、弾性を有することから密接して抜け止となり、取付板、サドル、及びケーブルなどを容易に止着できる。
特に厚みの薄い石膏ボードに有効である。
【００３０】
固定具との比較例４による固定具を吊下げ具に応用することで、吊下げ具の針先端よりＡＬＣ面、及び石膏ボード面に打ち込むことで、ＡＬＣ、及び石膏ボード内の素材と固定部材の合成樹脂系接着剤と金属粉との混合は粗雑面を形成して、弾性を有することから密接して抜け止となることで、ＡＬＣ、石膏ボード、さらに木材など多用な壁面に、確実に止着でき利用できることで様々な物を容易に吊下げることができる。
【００３１】
よって、以上の如く一種類の固定具でＡＬＣ面、石膏ボード面、さらに木材、軽量ブロックに金槌で打ち込むだけで、強い止着力を得ることができ、効率的、経済的である。
【図面の簡単な説明】
【００３２】
【図１】本発明の第一実施例を釘に応用した釘胴部に固定部材の糸を巻回した正面図である。
【図２】同釘をＡＬＣ、及び石膏ボード内に打ち込まれた状態の一部断面図である。
【図３】同ステープルに応用した、ステープル脚部に固定部材の糸を巻回した正面図である。
【図４】同ステープルをＡＬＣ、又は石膏ボードに打ち込み、止着の３つの工程を示す正面図である。
【図５】固定具との比較例１を釘に応用した正面図である。
【図６】固定具との比較例２を配線に用いるステープルに応用した正面図である。
【図７】同側面図である。
【図８】固定具との比較例３を釘に応用した、釘胴部の下方部に混合の固定部材を塗着した正面図である。
【図９】同ステープルに応用した、ステープル脚部の下方部に接着剤の固定部材を塗着した正面図である。
【図１０】固定具との比較例４を吊下げ具に応用した、吊下げ具脚部の正面図である。
【図１１】同吊下げ具の脚部に固定部材の糸を巻回した正面図である。
【図１２】同吊下げ具をＡＬＣ面、石膏ボード面に取付けて品物を吊下げた状態の斜視図である。
【図１３】同他の一例目の取付板に吊下げ部を設けて、ステープル状で取付ける状態の図である。
【図１４】同吊下げ部を設けた取付板をＡＬＣ面、又は石膏ボード面に打ち込む状態の一部断面の側面図である。
【図１５】同他の二例目の止着板に４本の脚部を設けた吊下げ具の正面図である。
【図１６】同止着板の裏より見た斜視図である。
【図１７】同吊下げ具の側面図である。
【発明を実施するための形態】
【００３３】
本発明の実施の形態について図面を参照して説明する。
【００３４】
最初に、本発明の第一実施例の固定具を釘とステープルに応用した形態を図１ないし図５を参照して説明する。
図１は本発明の第一実施例に係る釘胴部の上方部から下方部にかけて糸を巻回して、合成系接着剤を塗着した正面図である。
図２は釘の頭部を金槌等でＡＬＣ面、又は石膏ボード面に打ち込んだ状態のＡＬＣ内、又は石膏ボード内の釘胴部における、塗着した合成系接着剤表面の一部分が剥がれた一部断面図である。
図３は本発明の第一実施例に係るステープルの両方の脚部の上方部から下方部にかけて糸を巻回して、合成系接着剤を塗着した正面図である。
【００３５】
図１に示す如く、金属製の釘１の本体で、釘胴部２で、釘胴部２は釘上方部２−Ａと釘下方部２−Ｂからなり、４は釘先端で、５は金槌で打つ頭部である。
９は釘胴部の上方部２−Ａから釘胴部の下方部２−Ｂにかけて周囲に糸を巻回した固定部材を設けて、釘胴部２と固定部材の周囲に合成系接着剤７を塗着したものである。
【００３６】
なお、釘胴部に巻回する糸をテーパー状にすることで、テーパー状の周囲全体を合成系接着剤を塗着して強い止着力を得ることができる。
【００３７】
したがって、上記の構成により第一実施例の固定具に応用した釘１で、は釘胴部より先端にかけてテ−パー状に成形したことでＡＬＣ、又は石膏ボードＤの壁面に取付板Ｋ、またはサドルなどの止着工事において、ＡＬＣ、又は石膏ボードＤ面に取付板Ｋ、サドルなどを接して、取付穴に釘１の釘先端４を入れることで、釘先端４はＡＬＣ、又は石膏ボードＤ面に接する、この状態で金槌によって頭部５を打撃して打ち込むことで釘先端４より釘胴部２の合成系接着剤７と巻回した糸の固定部材９はＡＬＣ、及び石膏ボードＤに打ち込まれる。
打ち込まれながらＡＬＣ、及び石膏ボード材によって、合成系接着剤７と巻回した糸の固定部材９の周囲が部分的に剥がれ、粗雑面となり、変形しながら打ち込まれて、合成系接着剤７、及び巻回した糸の固定部材９はＡＬＣ、及び石膏ボードＤの内部の素材と接しながら、接着剤と巻回した糸の弾性を有して密接、また糸面の凸凹により滑り止めとなることで、強い引き力に耐えることで抜け止となる。
【００３８】
また、打ち損じて再利用が約９０％可能であることで経済的である。
【００３９】
なお、本発明の釘の引き抜き強度の結果表を後記載している。
【００４０】
以上のことから、第一実施例の釘１をＡＬＣ、及び石膏ボードＤに打込むことで釘胴部２は密接して抜け止となることで、止着力が増し強く固定されるものである。
よって、取付板Ｋ、電線止めのサドルなどはＡＬＣ、及び石膏ボードＤ面に強く止着することで取付けられる。
【００４１】
また、第一実施例をステープルの固定具との比較例として、図３に示す如く、１１は金属線をほぼコの字状を形成した配線に用いるステープル、２１はステープル１１の脚部であって、脚部の上方部２１−Ａ、及び脚部の下方部２１−Ｂからなり、９１は両方の脚部２１の上方部２１−Ａから脚部の下方部２１−Ｂにかけて周囲に巻回した糸の固定部材で、その周面に合成系接着剤７１を塗着したものである。
ステープル１１を止着するときに頭部５１を金槌等で打つけることで、針状の脚部２１の針先端４１より打ち込まれる。
ＶはＶＶＦケーブルで、６はＶＶＦケーブルＶをＡＬＣ、又は石膏ボードＤに止着したときの金属線と電線との間の電線保護材である。
【００４２】
したがって、上記の構成により第一実施例の固定具を応用したステープル用いて、電気配線工事でＶＶＦなどの電線７をＡＬＣ、又は石膏ボードＤなどに止着作業するにあたり、図４の図Ａ、Ｂ、Ｃに示すように、ＶＶＦケーブルＶなどの電線７をＡＬＣ、又は石膏ボードＤの面に接して、本案のステープル１１の頭部５１を金槌などで打撃して、両方の脚部２１と合成系接着剤７１、及び脚部の上方部２１−Ａから脚部の下方部２１−Ｂにかけて巻回した糸固定部材９１が打ち込まれ、進入するとＡＬＣ、及び石膏ボード材によって、合成系接着剤７と巻回した糸の固定部材９の周囲の一部が剥がれ、粗雑面となり、変形しながら打ち込まれて、合成系接着剤７、及び巻回した糸の固定部材９はＡＬＣ、及び石膏ボードＤの内部の素材と接しながら、接着剤と巻回した糸の弾性を有することで密接、また糸面の凸凹により滑り止めとなることで、強い引き力に耐えることで抜け止となる。
【００４３】
よって、ＡＬＣ、又は石膏ボードＤ面にＶＶＦなどの電線７がステープル１によって止着することができることで、配線作業の時間を短縮して、効率の良い作業ができるものである。
【００４４】
固定具との比較例１を釘に応用した形態を図５を参照して説明する。
図５は比較例１による固定具に係る釘状部に弾性を有する合成樹脂系接着剤と金属粉の混合とを固定部材として塗着した正面図である。
【００４５】
図５に示す如く、１は金属の釘の本体で、５は金槌で打つ釘１の頭部である、２は釘胴部で、釘胴部２は釘上方部２−Ａと釘下方部２−Ｂからなり、４は釘先端である、３は弾性を有する合成樹脂系接着剤と金属粉の混合との固定部材であって、固定部材３を釘胴部２の釘上方部２−Ａと釘下方部２−Ｂに塗着したものである。
Ｋは取付板、ＤはＡＬＣ、又は石膏ボードである。
【００４６】
したがって、上記の構成により固定具との比較例１の釘１でＡＬＣ、又は石膏ボードＤの壁面に取付板Ｋ、サドルなどの止着工事においては、ＡＬＣ、又は石膏ボードＤ面に取付板Ｋ、サドルなどを接して、取付穴に釘１の釘先端４を入れることで、釘先端４はＡＬＣ、又は石膏ボードＤ面に接する、この状態で金槌で頭部５を打撃して打ち込むことで釘先端４より釘胴部２と固定部材３はＡＬＣ、又は石膏ボードＤ内に打ち込まれる。
打ち込まれながらＡＬＣ、又は石膏ボードＤ材によって、固定部材３である合成樹脂系接着剤と金属粉の周囲が部分的に剥がれ、変形して粗雑面となりながら打ち込まれる、打込まれた釘胴部２の固定部材３とＡＬＣ、又は石膏ボードＤの内部の素材と釘胴部２の上方部２−Ａ、及び釘胴部の下方部２−Ｂの固定部材３の合成樹脂系接着剤と金属粉の粗雑面と接して、弾性を有することから密接することで強い抜け止効果となる。
【００４７】
なお、本発明の釘の引き抜き強度の結果表を後記載している。
【００４８】
以上のことから、固定具との比較例１の釘をＡＬＣに打込むことで釘胴部２はＡＬＣの素材と接して、密接して抜け止となることで、釘胴部２の止着力が増し強く固定されるものである。
よって、取付板Ｋ、電線止めのサドルなどはＡＬＣ、又は石膏ボードＤに強く止着することで取付けられる。
【００４９】
また、釘１でＡＬＣ、又は石膏ボードＤの壁面の工事において、様々な物を取付けることができるものである。
【００５０】
固定具との比較例２の固定具をステープルに応用した形態を図６ないし図４を参照して説明する。
図６は脚部が金属線をほぼコの字状に形成されたステープルにおいて、ステープルの両脚部である針状の金属部に弾性部材との合成樹脂系接着剤と金属粉の混合の固定部材を塗着して設けた正面図であり、図７は側面図である。
図４のステープルでＶＶＦケーブルをＡＬＣ、又は石膏ボード面に止着するため、ＡＬＣ面、又は石膏ボード面に打ち込み、止着の工程で、図４の図ＡはステープルをＡＬＣ、又は石膏ボード面に接した状態、図４の図Ｂは図Ａから打ち込んで、ＡＬＣ、又は石膏ボード面内に両方の脚部の針先端から入る状態、図４の図Ｃは両方の脚部がＡＬＣ、又は石膏ボード内に入りＡＬＣ、又は石膏ボード面に止着した状態の図である。
【００５１】
図６ないし図４に示す如く、１１は金属線をほぼコの字状を形成した配線に用いるステープル、２１はステープル１１の脚部であって、脚部の上方部２１−Ａ、及び脚部の下方部２１−Ｂからなり、４１は脚部２１の針先端である。
５１はステープル１を止着するときに金槌等で打つ頭部、３１は合成樹脂系接着剤７と金属粉との混合の固定部材で、固定部材３１を両方の脚部２１の脚部の上方部２１−Ａから脚部の下方部２１−Ｂにかけて塗着する。
ＶはＶＶＦケーブルで、６はＶＶＦケーブルＶをＡＬＣ、又は石膏ボードＤに止着したときの金属線と電線との間の電線保護材である。
【００５２】
したがって、上記の構成により固定具との比較例２を応用したステープルを用いて、電気工事のＶＶＦケーブルＶなどの電線をＡＬＣ、又は石膏ボードＤなどに止着作業するにあたり、図４の図Ａに示すように、ＶＶＦケーブルＶなどの電線をＡＬＣ、又は石膏ボードＤの面に接して、本案のステープル１１の頭部５１を金槌などで打つことで、図４の図Ｂに示すように、両方の脚部２１の針先端４１と両方の脚部２１に塗着した合成樹脂系接着剤と金属粉と混合との固定部材３１はＡＬＣ、又は石膏ボードＤに打ち込まれる。
ここで、図４の図Ｃに示すように、ＡＬＣ、又は石膏ボードＤ内に打ち込まれる固定部材３１の周囲の表面は部分的に剥がれ、変形し粗雑面となりながら打ち込まれる。
よって、合成樹脂系接着剤と金属粉はＡＬＣ、又は石膏ボードＤの内部の素材と一部が混じりながら、脚部の上方部２１−Ａ、及び脚部の下方部２１−Ｂの固定部材３１と接して密接した状態となり、抜け止となる。ステープル１１の両方の脚部２１はＡＬＣ、又は石膏ボードＤ内での止着力が増して固定するものである
【００５３】
なお、本発明のステープルの引き抜き強度の結果表を後記載している。
【００５４】
以上のことから、固定具との比較例２のステープルをＡＬＣ、又は石膏ボードＤ面より打ち込み、ＡＬＣ、及び石膏ボードＤ内の両方の脚部２１はＡＬＣ、又は石膏ボードＤの素材と接して、密接して抜け止となることで、強い止着力状態となる。
よって、ＶＶＦケーブルＶなどの電線はＡＬＣ、又は石膏ボードＤに強く止着することで取付けられる。
【００５５】
本発明の固定具との比較例３の固定具を釘とステープルに応用した図８、及び図９を参照して説明する。
図８は固定具との比較例３に係る釘胴部の上方部に合成樹脂系接着剤を塗着して、釘胴部の下方部に合成樹脂系接着剤と金属粉の混合との固定部材を塗着した正面図である。
図９は固定具との比較例３に係るステープルの両方の脚部の上方部に合成樹脂系接着剤を塗着して、両方の脚部の下方部に合成樹脂系接着剤と金属粉の混合との固定部材を塗着した正面図である。
【００５６】
図８に示す如く、１は金属の釘の本体で、５は釘１の頭部、２は釘胴部で、釘胴部２は釘胴部２は釘上方部２−Ａと釘下方部２−Ｂからなり、４は釘胴部の釘先端で、３は合成樹脂系接着剤と金属粉と混合との固定部材である、７は合成樹脂系接着剤で、合成樹脂系接着剤７を釘上方部２−Ａの部分に塗着して、固定部材を釘下方部２−Ｂに塗着する。
【００５７】
したがって、上記の構成により固定具との比較例３の釘１でＡＬＣ、又は石膏ボードＤの壁面に取付板Ｋ、またはサドルなどの止着工事においては、ＡＬＣ、又は石膏ボードＤ面に取付板Ｋ、サドルなどを接して、取付板Ｋ、サドルなどの取付穴に釘１の釘先端４を入れることで、釘先端４はＡＬＣ、又は石膏ボードＤ面に接する、この状態で金槌によって頭部５を打撃して打ち込むことで釘先端４より釘胴部２と釘胴部の上方部２−Ａに塗着した合成樹脂系接着剤７、及び釘胴部の下方部２−Ｂに塗着した固定部材３はＡＬＣ、又は石膏ボードＤ内に打ち込まれる。
打ち込まれながらＡＬＣ、又は石膏ボードＤ材によって、合成樹脂系接着剤７と固定部材の周囲が部分的に剥がれたり、変形し粗雑面となりながら打ち込まれる、釘胴部の下方部２−Ｂの一部剥がれた固定部材３は、釘胴部の上方部２−Ａの合成樹脂系接着剤７とＡＬＣ、又は石膏ボードＤの内部の素材と混じりながら、密接した状態となり、抜け止となる。
【００５８】
なお、本発明の釘の引抜き強度の結果表を後記載している。
【００５９】
以上のことから、固定具との比較例３の釘１をＡＬＣに打込むことで釘胴部２はＡＬＣの素材と接して、密接して抜け止となることで、釘胴部２の止着力が増し強く固定されるものである。
よって、取付板Ｋ、電線止めのサドルなどはＡＬＣ面に強く止着することで取付けられる。
【００６０】
また、短い釘（全長１５mm前後）を用いることで、石膏ボード面にカレンダーや掲示板等様々な物を止着して固定することができる。
【００６１】
また、図９に示す如く、１１は金属線をほぼコの字状を形成した配線に用いるステープル、２１はステープル１１の脚部であって、脚部の上方部２１−Ａ、及び脚部の下方部２１−Ｂからなり、４１は脚部２１の針先端である。
５１はステープル１１を止着するときに金槌等で打つ頭部、７１は合成樹脂系接着剤で、３１Ｂは合成樹脂系接着剤と金属粉との混合の固定部材である。
合成樹脂系接着剤７１を両方の脚部２１の脚部の上方部２１−Ａ  に塗着して、固定部材３１Ｂを脚部の下方部２１−Ｂにかけて塗着する。
ＶはＶＶＦケーブルで、６はＶＶＦケーブルＶをＡＬＣ、又は石膏ボードＤに止着したときの金属線と電線との間の電線保護材である。
【００６２】
したがって、上記の構成により固定具との比較例３の固定具を応用したステープルを用いて、電気工事のＶＶＦケーブルＶなどの電線をＡＬＣ、又は石膏ボードＤなどに止着作業するにあたり、ＶＶＦケーブルＶなどの電線をＡＬＣ、又は石膏ボードＤの面に接して、本案のステープル１１の頭部５１を金槌などで打つことで、両方の脚部２１の針先端４１より打ち込まれることで、合成樹脂系接着剤７１と固定部材３１ＢはＡＬＣ、又は石膏ボードＤ材によって、合成樹脂系接着剤７１と固定部材３１Ｂの周囲が部分的に剥がれ、変形し粗雑面となりながら打ち込まれる、両方の脚部の下方部２１−Ｂの一部剥がれた固定部材３１Ｂは、両方の脚部の上方部２１−Ａの合成樹脂系接着剤７１とＡＬＣ、又は石膏ボードＤの内部の素材と接しながら、密接した状態となり、抜け止となることでステープル１１の両方の脚部２１の止着力が増し強く固定されるものである。
【００６３】
以上のことから、ステープル１１を用いれば、ＶＶＦケーブルＶなどの電線はＡＬＣ、又は石膏ボードＤに強く止着することで取付けられる。
【００６４】
固定具との比較例４の固定具を吊下げ具に応用した形態を図１０ないし図１２を参照して説明する。
図１０は  固定具との比較例４に係る吊下げ具の両方の脚部に合成樹脂系接着剤と金属粉の混合の固定部材を塗着して設けた正面図である。
図１１は吊下げ具の両方の脚部に巻回した糸に合成樹脂系接着剤を塗着した正面図である。
図１２は吊下げ具をＡＬＣ、又は石膏ボードＤ面に止着する状態の斜視図である。
【００６５】
図１０、及び図１１に示す如く、金属線をほぼコの字状に形成した両方の脚部２２に連結する頭部５２の少なくとも一方の端部に延設された吊下げ部８を設けた吊下げ具１２である。
脚部２２は脚部の上方部２２−Ａと脚部の下方部２２−Ｂからなり、脚部２２の先端は針先端４２である。
ここで、図１０は両方の脚部２２に合成樹脂系接着剤と金属粉の混合の固定部材３２を塗着する。
また、図１１は両方の脚部２２に巻回した糸に合成樹脂系接着剤を塗着する。
【００６６】
したがって、上記の構成により  固定具との比較例４の固定具を応用した吊下げ具１２を利用するとき、ＡＬＣ面、又は石膏ボード面Ｄに止着するにあたり、図１２に示すように、吊下げ部８を下側にして両方の脚部２２の先端４２をＡＬＣ、又は石膏ボードＤ面に接して、頭部５２を金槌などで打つことで、第二実施例ステープルの説明と同様に、両方の脚部２２と固定部材３２の一体は、周囲の表面は部分的に剥がれたり、変形しながら打ち込まれる、剥がれた固定部材３２弾力を有する粗雑面はＡＬＣ、又は石膏ボードＤの内部の素材と接して、密接した状態となり抜け止となることで、吊下げ具１２の両方の脚部２２は強い止着力となるものである。
【００６７】
また、図１１の構成の吊下げ具１２を利用するとき、ＡＬＣ面、又は石膏ボード面Ｄに止着するにあたり、図１２に示すように、吊下げ部８を下側にして両方の脚部２２の先端４２をＡＬＣ、又は石膏ボードＤ面に接して、頭部５２を金槌などで打つことで、両方の脚部２２の合成樹脂系接着剤７２と脚部の上方部２２−Ａから脚部の下方部２２−Ｂにかけて巻回した糸固定部材９２が打ち込まれる進入すると、ＡＬＣ、又は石膏ボードＤ材によって、合成樹脂系接着剤７２と巻回した糸固定部材９２の周囲が部分的に剥がれ、変形しながら粗雑面となり打ち込まれて、合成樹脂系接着剤７２、及び巻回した糸固定部材９２はＡＬＣ、又は石膏ボードＤの内部の素材と接して、弾性を有して、密接することで、抜け止となる。
【００６８】
以上のことから、図１２に示すように、ＡＬＣ面、又は石膏ボードＤ面に図１３のＯの方向より打ち込み、石膏ボード内の両方の脚部２２はＡＬＣ、又は石膏ボードＤの素材と密接し固定されることで、強い止着力となることから、重い物でも吊るすことができる。
【００６９】
なお、  固定具との比較例４の吊下げ具において、他の固定具との比較例の形態を説明する。
一例目は図１３、及び図１４、また二例目は図１５ないし図１７を参照して説明する。
【００７０】
一例目として、図１３、及び図１４を参照して図１３は取付板に吊下げ部を設けて、ステープルで取付ける吊下げ具の状態の図である。
図１４は吊下げ具をＡＬＣ面、又は石膏ボード面にＯの方向から打ち込む状態の側面図である。
【００７１】
図１３、及び図１４に示す如く、金属線をほぼコの字状を形成したステープル１３において、ステープル１３の両方の脚部に合成樹脂系接着剤と金属粉の混合の固定部材３２を脚部の上方部から脚部の下方部にかけて塗着する。５２は金槌等で打つ頭部で、４２は脚部の針先端である。
また、Ｌ５は止着板である。止着板Ｌ５の一端に吊下げ部８１を設けて、吊下げ部８１を設けた止着板Ｌ５にステープル１３の脚部挿入孔１０を二箇所設ける。
【００７２】
したがって、上記の構成によりステープル１３を用いて吊下げ具を止着するには、取付板Ｌ５を石膏ボード面８１に取付けて吊下げ具として利用する時、取付板Ｌ５の吊下げ部８１を下側にしてＡＬＣ、又は石膏ボードＤ面に接して、ステープル１３の針先端４２を脚部挿入孔１０の二箇所に入れて、金槌等でステープル１３の頭部５２を打ちつけて両方の脚部４２を石膏ボード８に打ち込むことから、第二実施例ステープル１１と同様にステープル１３の両方の脚部４２の固定部材３２によってＡＬＣ、又は石膏ボードＤ内の素材と密接することで強く止着するものである。  
よって、吊下げ部Ｆ５に様々な重い物を吊るすことができるものである。
【００７３】
また、二例目として、図１５は止着板に吊下げ部と四本の針状部を設けた吊下げ具の正面図である。
図1６は吊下げ具の裏より４本の針状部を見た斜視図である。
図１７は吊下げ具の側面図である。
【００７４】
図１５ないし図１７に示す如く、Ｌ６は板状に吊下げ部８２を設けた取付板で、Ｌ６１は取付板Ｌ６の表面である、表面Ｌ６１は金槌等で打撃を加える部分でもある。
Ｌ６２は取付板Ｌ６の裏面であって、裏面Ｌ６２に針状の脚部２３に４本を設けて、４３は脚部の針先端である。
３３は針状部２２に塗着した合成樹脂系接着剤と金属粉との混合の固定部材である。
【００７５】
したがって、上記の構成により吊下げ具を利用するとき、ＡＬＣ面、又は石膏ボードＤ面に止着するにあたり、取付板Ｌ６の吊り下げ部８２を下側にして、取付板Ｌ６の表面Ｌ６１の面を金槌などで打つことで、脚部２３の４箇所の固定部材３３はＡＬＣ、又は石膏ボードＤ内に打ち込まれる。
ここで、ＡＬＣ、又は石膏ボードＤ内に打ち込まれる固定部材３３の一体の周囲表面は部分的に剥がれて、変形し粗雑面となりながら打ち込まれて、ＡＬＣ、又は石膏ボードＤ内の素材と合成樹脂系接着剤、又は金属粉と接して密着することで、抜け止となり強い止着力となる。また脚部２３を複数備えていることから密着する度合いが増すことで、強力な止着力が得ることができるものである。
【００７６】
以上のことから、ＡＬＣ面、又は石膏ボードＤ面に密着し固定し、耐久性に優れ、重量のある物でも容易に吊るすことができる。
【００７７】
また、釘胴部に塗着する固定部材３、３１、３２、３３の弾性を有する合成樹脂系接着剤７、７１、７２は塗着して乾燥後においても弾性を有するものであること、しかし他の接着剤において塗着して乾燥後、硬質に固まる接着剤は止着力、引抜き力が弱く用途にあわないものである。
【００７８】
なお、合成樹脂系接着剤と混合する金属粉の代わりに鉱石系などの様々な粉末を用いることも可能である。
【００７９】
ここで、本発明の第一実施例、固定具との比較例１、固定具との比較例３の釘、及び固定具との比較例２のステープルの引き抜き強度試験の表１、表２、及び表３を以下の如く示すものである。
【００８０】
また、固定具との比較例２の釘の引き抜き強度の内容を以下に示す。
よって、試験に用いた固定部材３、３Ｂの一例として、合成樹脂系接着剤をクロロプレンゴム系溶剤形接着剤用いた、また金属粉として鉄粉、Ｆｅ＝55.85、80〜200meshを用いて混合した割合の一例を合成樹脂系接着剤１００％に対して、金属粉の鉄粉約２８％の割合で様々に引抜き試験をおこなった。
【００８１】
また、ＡＬＣ（軽量発泡コンクリート）は厚さ１００mmの製品と釘については、釘長さ３８mm、釘径３.０５mm、頭径１１mmを用いたものである。
下記表の１段目は通常の釘である。
また２段目は固定具との比較例１の釘胴部に固定部材を塗着した釘である。
また、３段目は固定具との比較例３の釘胴部の上方部に合成樹脂系接着剤、下方部に固定部材を夫々塗着した釘である。
また、４段目は第一実施例の釘胴部に巻回した糸に合成樹脂系接着剤を塗着した釘である。
さらに、５段目は釘胴部にクロロプレン系溶剤形接着剤のみを塗着した釘である。
また、夫々の釘をＡＬＣに打ち込み引抜き強度の測定した結果を下記記載の表１に示したものである。
【００８２】
また固定具との比較例２の電気配線に用いるステープルの引き抜き強度の内容を以下に示す。
よって、試験に用いた固定部材３１、３１Ｂの一例として、合成樹脂系接着剤をクロロプレンゴム系溶剤形接着剤用いた、また金属粉として鉄粉、Ｆｅ＝55.85、80〜200meshを用いて混合した割合の一例を合成樹脂系接着剤１００％に対して、金属粉の鉄粉約２８％の割合で様々に引抜き試験をおこなった。
【００８３】
その方法は、石膏ボードの天井面にＶＶＦケーブル（1.6mm×2芯）を通常の配線用ステープルと本発明のステープルを夫々打ち込み、夫々のステープルの引抜き強度を測定した結果を下記に示したものである。
ただし、利用した配線用ステープルの各寸法（単位mm）、線径1.8、内幅10.2、針長さ21.0である。またＶＶＦケーブルの断面の外形寸法（単位mm）、幅9.0mm、高さ5.0mmである。
【００８４】
石膏ボード１２．５mmの厚みに、ステープル針の長さが石膏ボード内に入る長さは、約1.7mmの長さが打ち込んで、引抜き強度の測定した結果を下記記載の表２に示したものである。
【００８５】
また、ＡＬＣ（軽量発泡コンクリート）１００.mmの厚みに、ステープル針の長さがALC内に入る長さは、約1.7mmの長さが打ち込んで、引抜き強度の測定した結果を下記記載の表３に示したものである。
なお、下記表の１段目は通常のステープルで、２段目は第二実施例のステープルである。
【００８６】
表１は一般釘と第一実施例の固定具、比較例１及び比較例３を、ＡＬＣに打込んで引抜き強度結果表である。
表２は一般ステープルと比較例１をステープルに応用して、石膏ボードに打込んで引抜き強度結果表である。
表３は一般ステープルと比較例１プルに応用して、ＡＬＣに打込んで引抜き強度結果表である。
0005605882.tif 000002
【符号の説明】
【００８７】
１は釘本体
１１、１３はステープル本体
１２は吊下げ具
２は釘胴部
２−Ａは釘胴部の上方部
２−Ｂは釘胴部の下方部
２１、２２、２３は脚部
２1−Ａ、２２−Ａは脚部の上方部
２1−Ｂ、２２−Ｂは脚部の下方部
３、３１、３２、３３は弾性を有する合成樹脂系接着剤と金属粉の混合の固定部材
３Ｂ、３１Ｂは下方部に合成樹脂系接着剤と金属粉の混合の固定部材
４は釘先端
４１、４２、４３は脚部の針先端
５、５１、５２は頭部
６は電線保護材
７、７１、７２は合成樹脂系接着剤
８、８１、８２は吊下げ部
９、９１、９２は巻回した糸の固定部材
１０はステープル脚部挿入孔
Ｌ５、Ｌ６は取付板
Ｌ６１は取付板の表面
Ｌ６２は取付板の裏面
ＤはＡＬＣ（軽量気泡コンクリート）、又は石膏ボード
Ｋは取付板
Ｏは打ち込み方向
Ｍは吊り物
ＶはＶＶＦケーブル（ビニル絶縁ビニルシースケーブル平形）
【図１】
0005605882.tif 000003
【図２】
0005605882.tif 000004
【図３】
0005605882.tif 000005
【図４】
0005605882.tif 000006
【図５】
0005605882.tif 000007
【図６】
0005605882.tif 000008
【図７】
0005605882.tif 000009
【図８】
0005605882.tif 000010
【図９】
0005605882.tif 000011
【図１０】
0005605882.tif 000012
【図１１】
0005605882.tif 000013
【図１２】
0005605882.tif 000014
【図１３】
0005605882.tif 000015
【図１４】
0005605882.tif 000016
【図１５】
0005605882.tif 000017
【図１６】
0005605882.tif 000018
【図１７】
0005605882.tif 000019